(57)【要約】【課題】タッチパネルを操作する際に、指先に隠れるタッチポイントを他方の表示画面に表示することで、操作性を可及的に向上させることのできる電子機器を提供する。【解決手段】情報を表示可能な第１表示画面21、第２表示画面31と、第２表示画面に設けられ、ユーザが操作を行なうタッチパネル32と、該タッチパネルに電気的に接続され、ユーザの操作によるタッチパネルから座標情報を受信するタッチパネル判定部35と、表示画面に情報を表示すると共にタッチパネル判定部からの信号が入力される制御手段60とを有する電子機器において、制御手段は、第１表示画面と第２表示画面に情報を表示し、タッチパネル判定部が受信した座標情報を、第１表示画面にポインタＰにより表示する連動モードで作動するようにした。【選択図】  図１
2012155434.tif 000002
【特許請求の範囲】
【請求項１】
情報を表示可能な第１表示画面と、
情報を表示可能な第２表示画面と、
少なくとも第２表示画面に設けられ、ユーザが操作を行なうタッチパネルと、
該タッチパネルに電気的に接続され、ユーザの操作によるタッチパネルから座標情報を受信するタッチパネル判定部と、
第１表示画面、第２表示画面及びタッチパネル判定部に電気的に接続され、表示画面に情報を表示すると共にタッチパネル判定部からの信号が入力される制御手段と、
を有する電子機器において、
制御手段は、第１表示画面と第２表示画面に情報を表示し、タッチパネル判定部が受信した座標情報を、第１表示画面にポインタにより表示する連動モードで作動可能であることを特徴とする電子機器。
【請求項２】
第１表示画面と第２表示画面は、略同一の大きさである請求項１に記載の電子機器。
【請求項３】
制御手段は、第１表示画面と第２表示画面に、略同一の情報を表示する請求項１又は請求項２に記載の電子機器。
【請求項４】
制御手段は、タッチパネルの設けられた第２表示画面に編集前の情報、第１表示画面に編集後の情報を表示する請求項１又は請求項２に記載の電子機器。
【請求項５】
制御手段は、連動モードで作動中、タッチパネル判定部からの信号の入力がない場合に、第１表示画面に第２表示画面とは異なる情報を表示する請求項１乃至請求項４の何れかに記載の電子機器。
【請求項６】
制御手段は、前記連動モードと、それ以外のモードとを切替可能である請求項１乃至請求項５の何れかに記載の電子機器。
【請求項７】
タッチパネルは、静電容量方式である請求項１乃至請求項６の何れかに記載の電子機器。
【発明の詳細な説明】
【技術分野】
【０００１】
本発明は、複数の表示画面とその少なくとも１つにタッチパネルを有する電子機器に関するものであり、より具体的には、ユーザの操作性を向上することのできる電子機器に関するものである。
【背景技術】
【０００２】
２つの表示画面を有する電子機器が知られており、この種の電子機器では、一方又は両方の表示画面にタッチパネル式の操作手段を具えたものがある(例えば特許文献１参照)。
ユーザは、表示画面に表示された文字や画像を視認するだけでなく、タッチパネルをタップ、ダブルタップ、フリック、ドラッグ等することで操作や編集等を行なうことができる。
【０００３】
タッチパネル式の操作手段として、抵抗膜方式のものや静電容量方式のものが主流であるが、特に静電容量方式のタッチパネルを用いる場合、ユーザが指先で操作を行なう必要がある。
【先行技術文献】
【特許文献】
【０００４】
【特許文献１】特開２００８−２１７６４７号
【発明の概要】
【発明が解決しようとする課題】
【０００５】
表示画面に表示された情報に対して、タッチパネルをユーザが直接指先で触れて操作する場合、指先とタッチパネルとの接点となるタッチポイントが指先で隠れてしまうから、精密なタッチ動作を行なうことが難しい。
特に、タッチパネルにより各種の操作、例えば、描画、音楽や動画編集、ゲーム、等の操作を行なう場合に、タッチポイントを視認できなければ、正確な操作を行なうことができない。
【０００６】
本発明の目的は、タッチパネルを操作する際に、指先に隠れるタッチポイントを他方の表示画面に表示することで、操作性を可及的に向上させることのできる電子機器を提供することである。
【課題を解決するための手段】
【０００７】
上記課題を解決するために、本発明の電子機器は、
情報を表示可能な第１表示画面と、
情報を表示可能な第２表示画面と、
少なくとも第２表示画面に設けられ、ユーザが操作を行なうタッチパネルと、
該タッチパネルに電気的に接続され、ユーザの操作によるタッチパネルから座標情報を受信するタッチパネル判定部と、
第１表示画面、第２表示画面及びタッチパネル判定部に電気的に接続され、表示画面に情報を表示すると共にタッチパネル判定部からの信号が入力される制御手段と、
を有する電子機器において、
制御手段は、第１表示画面と第２表示画面に情報を表示し、ユーザがタッチパネルを操作したときに、タッチパネル判定部が受信した座標情報を、第１表示画面にポインタにより表示する連動モードで作動するようにした。
【発明の効果】
【０００８】
本発明の電子機器によれば、連動モードでは、第１表示画面と第２表示画面に情報を表示し、ユーザは、第２表示画面を参照しながら、タッチパネルを操作する。第２表示画面を参照しながらタッチパネルを操作することで、ユーザは直感的な操作を行なうことができる。
【０００９】
また、タッチパネルを指先で操作する際に、タッチポイントが指先に隠れてしまうが、第１表示画面にタッチパネルの座標情報をポインタにより表示しているから、第１表示画面を参照しながら第２表示画面のタッチパネルを操作することで、精密な操作を行なうことができる。
【図面の簡単な説明】
【００１０】
【図１】本発明が適用される電子機器の連動モードにおける操作状態を示す斜視図である。
【図２】本発明の電子機器のブロック図である。
【図３】動作の一例を示すフローチャート図である。
【図４】連動モードにおける電子機器の表示の一例を示す説明図である。
【図５】連動モードにおける電子機器の表示の他の例を示す説明図である。
【図６】図５に示す連動モードにおける電子機器の異なる例を示す説明図である。
【図７】連動モードにおける電子機器の表示の他の例を示す説明図である。
【発明を実施するための形態】
【００１１】
本発明は、複数の表示画面(21)(31)及び少なくともその１つにタッチパネル(22)(32)を具え、表示画面(21)(31)に文字、図形、画像、映像等の情報を表示し、ユーザがタッチパネル(22)及び／又はタッチパネル(32)を操作することで、情報を編集等することのできる電子機器(10)に関するものである。
【００１２】
より具体的には、表示画面(21)(31)に表示された情報をタッチパネル(22)(32)で操作する際に、表示されている情報が、ユーザの指先(Ｆ)等で隠れてしまい、精密な操作を行なうことができなくなる問題を解消した電子機器(10)に関するものである。
【００１３】
以下、本発明の電子機器(10)について、携帯型の電子機器を例に挙げて図面を用いて説明するが、以下に示す具体的な電子機器の構造、構成は、説明のためのものであって、本発明を限定的に解釈すべきでないことは勿論である。
【００１４】
まず、本実施例に係る携帯型電子機器(10)の構造について説明を行なう。
電子機器(10)は、図１に示すように、ユーザの所望するアプリケーションソフトに対応して、文字、図形、画像、映像等の情報を表示可能な表示画面(21)(31)と、該表示画面の表面にユーザが触れることで操作可能なタッチパネル(22)(32)とを有する表示部(20)(30)を、連結機構(40)によって相対的に開閉やスライド等により移動可能に連結して構成することができる。
【００１５】
第１表示部(20)及び第２表示部(30)は、図１に示すように、一方の面が開口した筺体(23)(33)内に、情報を表示可能な表示画面(21)(31)が開口側から視認可能となるように収容されている。表示画面(21)(31)は、後述する制御手段(60)(図７参照)に電気的に接続され、各種情報を表示可能となっている。なお、図１において、紙面右奥側に位置する表示部を第１表示部(20)、左手前側に位置する表示部を第２表示部(30)と称する。
【００１６】
表示画面(21)(31)は、液晶ディスプレイを例示でき、情報表示領域の面積は、略同一の大きさとすることが望ましい。これは、後述する「連動モード」における直感的な操作性を高めるためである。勿論、表示画面(21)(31)が略同一の大きさでなくても本発明は実施可能である。また、表示画面(21)(31)の大きさが異なる場合には、表示画面(21)(31)の情報表示領域を略同一とするようにしてもよい。
【００１７】
表示画面(21)(31)の開口側には、ユーザが指先(Ｆ)等で触れることにより操作可能なタッチパネル(22)(32)を有する。タッチパネル(22)(32)は、筺体(23)(33)の開口を塞ぐように配設され、表示画面(21)(31)が視認可能となるよう透明に形成されている。タッチパネル(22)(32)として、静電容量方式や抵抗膜方式のものを例示できる。
【００１８】
タッチパネル(22)(32)は、図２に示すようにタッチパネル判定部(25)(35)を介して制御手段(60)に電気的に接続されており、ユーザがタッチパネル(22)(32)を指先(Ｆ)等で触れて操作することにより、該当する座標情報がタッチパネル判定部(25)(35)を介して制御手段(60)に入力され、各種操作等に用いられる。
【００１９】
また、筺体(23)(33)には、タッチパネル(22)(32)及び筺体(23)(33)の周面に複数の操作ボタン(50)(50)を配置することができる。操作ボタン(50)(50)として、電源ボタン等を例示できる。これら操作ボタン(50)(50)も制御手段(60)(図２参照)に電気的に接続され、操作ボタン(50)(50)の操作により各種制御が可能となっている。
【００２０】
第１表示部(20)と第２表示部(30)は、連結機構(40)により、相対的に移動可能とすることができ、詳細な構成の説明は省略するが、例えば、第１表示部(20)を第２表示部(30)に対してスライド可能及び／又は回動可能とする構成を例示できる。
【００２１】
図２は、本発明の電子機器のブロック図の一例を示している。
電気機器のすべての制御は、図２に示すように、ＣＰＵ等から構成される制御手段(60)により行なわれる。
【００２２】
制御手段(60)には、前述した第１表示画面(21)、第２表示画面(31)が電気的に接続されており、使用するアプリケーションソフトに対応した各種情報を表示可能となっている。
【００２３】
また、第１タッチパネル(22)及び第２タッチパネル(32)は、夫々第１タッチパネル判定部(25)、第２タッチパネル判定部(35)を介して制御手段(60)に電気的に接続されており、第１タッチパネル(22)及び第２タッチパネル(32)からのユーザの入力は、座標情報としてタッチパネル判定部(25)(35)を介して制御手段(60)に送信され、制御手段(60)は、入力に応じて、表示画面(21)(31)の情報を編集、操作等行なう。
【００２４】
制御手段(60)には、上述した操作ボタン(50)(50)の他、電子機器(10)の各種動作やユーザの所望する各種データ等を記憶するメモリ(61)等が電気的に接続されている。
【００２５】
上記構成の電子機器(10)は、後述する本発明の動作モード(以下「連動モード」)と称する)と、その他の動作モード(以下「ノーマルモード」と称する)を切り替えて動作可能とすることができる。
【００２６】
「ノーマルモード」として、第１表示画面(21)と第２表示画面(31)に夫々異なる情報を表示し、第１タッチパネル(22)及び／又は第２タッチパネル(32)を操作することで、情報の編集等を行なうモードを例示できる。より具体的には、第１表示画面(21)に文字等の情報を表示し、第２表示画面(31)にキーボード等を表示し、第２タッチパネル(32)の操作により文章等の編集を行なうことが考えられる。
【００２７】
「連動モード」は、制御手段(60)により、第１表示画面(21)と第２表示画面(31)に情報を表示し、第１タッチパネル(22)及び／又は第２タッチパネル(32)を操作する際に、操作されたタッチパネル(以下では第２タッチパネル(32)とする)のタッチポイント(座標情報)をタッチパネル判定部(タッチパネル判定部(35))に送信し、タッチパネル判定部(35)が受信したタッチポイント(座標情報)を、他方の表示画面(以下では第１表示画面(21)とする)にポインタ(Ｐ)により表示して、編集等の各種操作に反映するようにしたモードである。
【００２８】
第１表示画面(21)と第２表示画面(31)に表示される情報として、略同一の情報を例示できる。略同一の情報とは、全く同じ情報や、第１表示画面(21)と第２表示画面(31)に同一の情報を表示しつつ、第１表示画面(21)にのみポインタ(Ｐ)を表示するものも含まれる。
【００２９】
また、後述する図４で説明するとおり、ユーザが操作する第２タッチパネル(32)を具える第２表示画面(31)にはユーザによる編集前の情報、第１表示画面(21)にはユーザにより編集された編集後の情報を表示するようにしてもよい。
【００３０】
ポインタ(Ｐ)として、図１に示すような矢印や、図５や図７に示すような図柄等のマウスポインタを例示することができ、また、図４に示すように、ユーザがフリックやドラッグ等の操作を行なったときには、その軌跡(Ｔ)をポインタ(Ｐ)として表示してもよい。
【００３１】
上記「連動モード」では、ユーザは、第２表示画面(31)を参照しながら、直接第２表示画面(31)に表示された情報に触れる感覚で第２タッチパネル(32)を操作することができる。
このとき、指先(Ｆ)等で第２タッチパネル(32)を操作すると、第２表示画面(31)の情報が指先(Ｆ)等で隠れて、視認することができない。しかしながら、本発明では、第２表示画面(31)の情報がポインタ(Ｐ)と共に第１表示画面(21)に表示されるようにしているので、ユーザが第１表示画面(21)を参照することで、ユーザは、第２タッチパネル(32)により選択等した情報を確認することができ、所望する精密な操作を行なうことができる。
【００３２】
特に、第１表示画面(21)と第２表示画面(31)を略同一の大きさとすることで、指先(Ｆ)と第１表示画面(21)に表示されるポインタ(Ｐ)の変位量を同じにすることができ、直感的且つ精密な操作を行なうことができる利点がある。
【００３３】
図３は、第１表示画面(21)と第２表示画面(31)に略同一の情報を表示した「連動モード」の実施例を説明するフローチャート図である。
ユーザの第１タッチパネル(22)、第２タッチパネル(32)又は操作ボタン(50)の操作により「連動モード」が選択されて、「連動モード」に入ると(ステップ１のＹｅｓ)、制御手段(60)は、第１表示画面(21)と第２表示画面(31)に略同一の情報を表示する。
【００３４】
この状態で、第２表示画面(31)を参照しながら、ユーザが第２タッチパネル(32)に触れると(ステップ２)、タッチポイント(座標情報)が第２タッチパネル判定部(35)を介して制御手段(60)に送信され(ステップ４)、第１表示画面(21)には、前記座標情報に応じた位置にポインタ(Ｐ)が表示される(ステップ５)。
【００３５】
これにより、ユーザは、第２タッチパネル(32)の情報に直接触れる直感的な操作を行なうことができ、第２タッチパネル(32)のタッチポイントが指先(Ｆ)で隠れてしまっても、第１表示画面(21)を参照することで当該操作を続行することができるから、正確で精密な操作を行なうことが可能となる。
【００３６】
なお、「連動モード」が選択されていないときには(ステップ１のＮｏ)、「ノーマルモード」として、電子機器(10)を作動させればよい(ステップ３)。
【００３７】
また、「連動モード」と「ノーマルモード」の切替えは、第１タッチパネル(22)、第２タッチパネル(32)及び／又は操作ボタン(50)(50)の操作によって行なうようにしているが、使用するソフトに応じて切り替えるようにしてもよい。
【００３８】
上記実施例では、第１表示画面(21)と第２表示画面(31)に表示する情報を略同一の情報としているが、表示される情報は、略同一のものでなくてもよく、この場合でも、上記と同様の制御フローにより本発明を実施することができる。
【００３９】
例えば、「連動モード」において、後述する図５及び図６に示すように、ユーザが第２タッチパネル(32)に触れている場合と触れていない場合で、第１表示画面(21)に表示される情報を変えるようにしてもよい。具体的には、ユーザが第２タッチパネル(32)に触れていないときに、即ち、第２タッチパネル判定部(35)から制御手段(60)へ信号の入力がない場合に、第２表示画面(31)には、ユーザによる操作の必要な情報を表示しておき、第１表示画面(21)に時計や操作説明等の第２表示画面(31)とは異なる情報を表示したり、他のアプリケーションを起動させておき、該アプリケーションの情報を表示しておくようにしてもよい。また、第２表示画面(31)に情報(例えば画像)の一部を拡大して表示し、第１表示画面(21)には情報の全体を表示するようにすることもできる。
【００４０】
上記の場合、第２タッチパネル(32)にユーザが触れたときに、第１表示画面(21)の情報を第２表示画面(31)と略同一となるように切り替えればよい。
また、ユーザが第２タッチパネル(32)から指先(Ｆ)等を離した後、直ちに第１表示画面(21)の情報を切替え前の情報に戻してもよいし、所定時間後に切替えを行なうようにしてもよい。
【００４１】
本発明により可及的に操作性が向上すると想定されるアプリケーションソフトとして、フォトレタッチソフト、動画編集ソフト、ゲームソフト、作曲用シーケンサーソフト等を例示できる。
【００４２】
例えば、フォトレタッチソフトでは、パソコンで行なうようなピクセル単位の編集を可能とすることができる。
図４は、フォトレタッチソフトにおける画像編集中の電子機器(10)の表示の一例を示している。図示のように、第２表示画面(31)に表示された画像を第２タッチパネル(32)に触れることで操作し、そのタッチポイントを第１表示画面(21)にポインタ(Ｐ)として表示することで、指先(Ｆ)によって隠れる第２表示画面(31)の画像を第１表示画面(21)で視認することができることがわかる。
なお、タッチポイントの軌跡(Ｔ)を図４に示すように第１表示画面(21)に表示することもできる。
【００４３】
上記において、編集前の画像を第２表示画面(31)に表示し、編集中の画像を第１表示画面(21)に表示すると、両画像を比較することができ、編集性を高めることができる。
【００４４】
同様に、動画編集ソフトでは、１フレーム単位の細かな編集を可能とすることができる。
【００４５】
また、ゲームソフトでは、マウスを使用して操作することを前提とした将棋や碁などのボードゲーム、シミュレーション系のゲーム等の操作性を可及的に高めることができる。
図５は、将棋ソフトにおける電子機器(10)の表示の例を示している。図に示すように、第２表示画面(31)の将棋の駒(70)は、指先(Ｆ)で隠れて視認することができないため、どのような駒を掴んでいるかが判別できないが、第１表示画面(21)の将棋の駒(71)は視認可能であるため、正確な操作を行なうことができる。この場合、ポインタ(Ｐ)は指形状とすることができる。
【００４６】
なお、上述したとおり、第２タッチパネル(32)にユーザが触れていないときは、第１表示画面(21)に第２表示画面(31)の情報とは異なる情報、例えば、図６に示すような「残り時間」等の情報を表示することができる。
【００４７】
作曲用シーケンサーソフトでは、図７に示すように、五線譜上の音符等を配置する際に、第２表示画面(31)では配置しようとする音符が指先(Ｆ)で隠れて視認できないが、第１表示画面(21)では、五線譜上に音符(72)を視認できるから、音符(72)を正確に五線譜上に配置することができ、操作性を高めることができる。
なお、この場合、ポインタ(Ｐ)は、図示のように操作される情報である音符(72)の表示とすることができる。
【産業上の利用可能性】
【００４８】
本発明は、タッチパネルを操作する際に指先に隠れるタッチポイントを表示することができ、操作性を高めることのできる電子機器として有用である。
【符号の説明】
【００４９】
(10)  電子機器
(20)  第１表示部
(21)  第１表示画面
(22)  第１タッチパネル
(25)  第１タッチパネル判定部
(30)  第２表示部
(31)  第２表示画面
(32)  第２タッチパネル
(35)  第２タッチパネル判定部
(40)  連結機構
(60)  制御手段
(Ｐ)  ポインタ
(Ｆ)  指先
【図１】
2012155434.tif 000003
【図２】
2012155434.tif 000004
【図３】
2012155434.tif 000005
【図４】
2012155434.tif 000006
【図５】
2012155434.tif 000007
【図６】
2012155434.tif 000008
【図７】
2012155434.tif 000009